(57)【要約】【課題】掘り込み式取手形状の凹形状部分が露出することに伴う問題を、凹形状部分を隠すことで解決し、外装面に発生する凹形状部分をカバーし、組立時の方向性を無くして組立性も良くすることを実現した掘り込み式取手を提供する。【解決手段】通常時は凹形状を隠し、機器運搬時には持ち手となるカバー１１と、カバー１１を接合する形状の接合部１３と、持ち手を引っ掛けるためのフレーム１２と、を備えた掘り込み式取手である。フレーム１２は、垂直方向の力を受けるリブと、水平方向の力を受けるリブとを備え、外装カバーの裏側でカバー１１上に設ける。リブは、断面二次モーメントが大きくなり破壊に対して強い。【選択図】図４
2012194220.tif 000002
【特許請求の範囲】
【請求項１】
通常時は凹形状を隠し、機器運搬時には持ち手となるカバーと、
前記カバーを接合する形状の接合部と、
前記持ち手を引っ掛けるためのフレームと、
を備えたことを特徴とする掘り込み式取手。
【請求項２】
請求項１に記載の掘り込み式取手において、
前記接合部に、応力集中を避けるための逃げを設けてなる、
ことを特徴とする掘り込み式取手。
【請求項３】
請求項１に記載の掘り込み式取手において、
運搬時に前記持ち手となるカバーがロックされる機構を有する、
ことを特徴とする掘り込み式取手。
【請求項４】
請求項１に記載の掘り込み式取手において、
前記持ち手となるカバーの使用後に閉じる開口部を有する、
ことを特徴とする掘り込み式取手。
【請求項５】
請求項１に記載の掘り込み式取手において、
前記持ち手となるカバーが、組立の方向性を制限するリブや引っ掛け形状を備えない、
ことを特徴とする掘り込み式取手。
【請求項６】
請求項１から５のいずれかに記載の掘り込み式取手を有することを特徴とする機器。
【請求項７】
請求項１から５のいずれかに記載の掘り込み式取手を有することを特徴とする画像形成装置。
【発明の詳細な説明】
【技術分野】
【０００１】
本発明は、掘り込み式取手と、これを用いた機器、画像形成装置に関する。
【背景技術】
【０００２】
画像形成装置やファクシミリ等のように比較的重量のある機器、装置を持ち運ぶ際に、掘り込み式と呼ばれる運搬用の取手が既に知られている。
【０００３】
図１は、公知の画像形成装置の外観を示す斜視図で、画像形成装置の本体１の側面に従来の掘り込み式取手２、２を有している。なお図では一側面にのみ取手２を描いているが、図示せぬ反対側の面にも設けられている。また図中３は原稿読取り部、４は画像形成部、５は給紙部、６は排紙部である。
【０００４】
しかしこの従来の掘り込み式の取手は、図示のように、取手部が凹状であることから機器、装置の外観品質を損ねるという問題があった。
【０００５】
特許文献１には、垂直、及び水平方向の荷重両方に対応する目的で、リブ、引っ掛け爪が配置された掘り込み式取手が開示されている。垂直及び水平方向の荷重両方に対応できる点で優れるが、やはり、外装面に掘り込み式取手の凹形状ができるため外観品質を損ねるという問題は解消できていない。
【発明の概要】
【発明が解決しようとする課題】
【０００６】
そこで本発明においては、水平、垂直両方の荷重に対応できる掘り込み式取手を有し、凹形状を隠して外観品質を損ねない取手と、これを用いた機器、画像形成装置を提供することを目的とする。
【課題を解決するための手段】
【０００７】
本発明の請求項１に係る掘り込み式取手は、通常時は凹形状を隠し、機器運搬時には持ち手となるカバーと、前記カバーを接合する形状の接合部と、前記持ち手を引っ掛けるためのフレームとを備えたことを特徴とする。
【０００８】
同請求項２に係るものは、請求項１に記載の掘り込み式取手において、前記接合部に、応力集中を避けるための逃げを設けてなることを特徴とする。
【０００９】
同請求項３に係るものは、請求項１に記載の掘り込み式取手において、運搬時に前記持ち手となるカバーがロックされる機構を有することを特徴とする。
【００１０】
同請求項４に係るものは、請求項１に記載の掘り込み式取手において、前記持ち手となるカバーの使用後に閉じる開口部を有することを特徴とする。
【００１１】
同請求項５に係るものは、請求項１に記載の掘り込み式取手において、  前記持ち手となるカバーが、組立の方向性を制限するリブや引っ掛け形状を備えないことを特徴とする。
【００１２】
同請求項６に係るものは、請求項１から５のいずれかに記載の掘り込み式取手を有することを特徴とする機器である。
【００１３】
同請求項７に係るものは、請求項１から５のいずれかに記載の掘り込み式取手を有することを特徴とする画像形成装置である。
【発明の効果】
【００１４】
本発明によれば、水平、垂直両方の荷重に対応し外観品質を良くすることができ、また、組立性を向上させ得る。
【図面の簡単な説明】
【００１５】
【図１】公知の画像形成装置の外観を示す斜視図
【図２】本発明に係る外観品質を損ねない掘り込み式取手の実施例１を示す斜視図
【図３】本発明に係る外観品質を損ねない掘り込み式取手の実施例１を示す斜視図
【図４】外装カバーの開口部を示す断面図
【図５】外装カバーの開口部内側に設けるフレームを示す斜視図
【図６】本発明の実施例３について説明する図
【図７】本発明の実施例３について説明する図
【図８】本発明の実施例４について説明する図
【図９】本発明の実施例４について説明する図
【図１０】本発明の実施例４に垂直方向に動きを規制することのできる形状を追加した例を示す図
【図１１】本発明の実施例４に垂直方向に動きを規制することのできる形状を追加した例を示す図
【図１２】本発明の実施例５について説明する図
【図１３】本発明の実施例６について説明する図
【図１４】従来取手の組立の方向性の制限について説明する図
【発明を実施するための形態】
【００１６】
掘り込み式取手形状の凹形状部分が露出することに伴う問題を、凹形状部分を隠すことで解決した。また、画像形成装置に用いられている掘り込み式取手形状には、外装面に対して凹形状が発生するが、その凹形状部分をカバーすることができ、また、従来はフレーム等に取手部を引っ掛けていたため、組立時に方向性が決まってしまっていたが、組立時の方向性を無くして組立性も良くすることを実現した。
【００１７】
なお後述する実施例では画像形成装置についてのみ説明しているが、本発明はこれに限定されず、その他の種々の機器、装置に利用できるものである。
【実施例】
【００１８】
＜実施例１＞
図２、図３は、本発明に係る外観品質を損ねない掘り込み式取手の実施例１を示す斜視図である。本実施例では、従来の掘り込み式取手でできていた外装カバー１０の凹形状部分の内側に符号１１で示す目隠しを兼ねた持ち手となるカバーを設けている。このカバー１１で、凹形状部分を隠すことができ、取手を使用しない時は、図２の状態となり、凹形状部分が開口１０ａから外観に現れないため、装置としての外観品質を損ねないようになっている。なお図中１２はカバー１１の内側に配するフレーム、１３はカバー接合部である。図３はフレーム１２を図中右方向から見た図である。
【００１９】
＜実施例２＞
外装カバー１０にカバー接合部１３を介して目隠し用のカバー１１を取り付けるが、操作者の様々な手の大きさに対応するため、目隠し兼持ち手であるカバー１２の大きさ及びカバー１１を開放したときの開口部１４の大きさは図４のように構成すると良い。
【００２０】
図４、図５は、取手使用時（運搬時）を考慮した本発明の実施例２について説明する図である。運搬時は目隠し用のカバー１１を、カバー接合部１３を回転軸として回転させ、フレーム１２に嵌合させる。そうすることでカバー１１が運搬時の持ち手ともなるため、運搬に利用できる。このとき、取手となる開口部１４には水平、垂直どちらの力も掛かる可能性があるが、持ち手となるカバー１１にはそれぞれの方向に対して垂直に爪形状のリブ１５（図５のフレーム１２参照）が設けられていることになるので、それぞれの力に対する断面二次モーメントが大きくなり破壊に対して強いといえる。
【００２１】
＜実施例３＞
図６、図７は本発明の実施例３について説明する図である。カバー接合部を図６のような形状にして、図７のように寸法設定してやることで、接合部に力が掛かる前にリブ１５がフレーム１２にあたるため、外装カバー１０に応力集中してしまうことも避けられる。なお図中ａ〜ｄで示す寸法はできる限り小さな値で設定することが望ましい。図７においては、ａ＜ｂかつｃ＜ｄである。
【００２２】
＜実施例４＞
図８、図９は本発明の実施例４について説明する図である。前記した持ち手のカバー１１に図８、図９のような形状を加えてやると、運搬時の水平方向の動きを規制することができ、より安定した運搬が可能となる。
【００２３】
すなわち、運搬時には、持ち手の垂直方向は爪状部材１２ａに突き当たっているため比較的安定しているが、図１０のように垂直方向に動きを規制することのできる形状を追加することで、運搬時の水平方向の動きを規制することができ、より安定した運搬が可能となり、運搬途中に一度機器を置いた場合でも持ち手カバーが勝手に戻ってしまうことを避けられる。
【００２４】
＜実施例５＞
図１１は、本発明の実施例５について説明する図であり、目隠し兼持ち手のカバー１１の戻し忘れを防止する機構について説明する図である。機器の運搬後、持ち手の戻し忘れを防止するために、図１２のようにねじりばね１６を設けると、ねじりばね１６復元力で持ち手のカバー１１元の位置に戻すことができる。
【００２５】
＜実施例６＞
図１２は、本発明の実施例６について説明する図であり、図１３に示すように、リブ１７を設けてやることによってカバー１１が外装カバー１０の面よりも外に出ることを防げる。
【００２６】
＜実施例７＞
図１３は、本発明の実施例６について説明する図である。図１４は目隠し兼持ち手のカバー１１を開放したときの、安全性を示す。すなわち、カバー１１は容易に開放できるため、機器の内部に手が入れられることとなるが、図１４に示すように、カバー１１とフレーム１２とで庇状の部位１８を作れば安全性も問題なくなる。
【００２７】
＜各実施例と従来例の比較＞
なお図１４は従来取手の組立の方向性の制限について説明する図であり、図示のように、掘り込み式取手の裏側にリブ１９が設けられており、それによって組立の方向性が制限され、外装カバー１０のフレームへの引っ掛け形状の向きなども制限されてしまっていたが、上述してきた各実施例では組立を制限する形状がないため、組立性の自由度も向上すると言える。
【符号の説明】
【００２８】
１：画像形成装置の本体
２：掘り込み式取手
３：原稿読取り部
４：画像形成部
５：給紙部
６：排紙部
１０：外装カバー
１１：目隠しを兼ねた持ち手となるカバー
１２：フレーム
１３：カバー接合部
１４：開口部
１５：庇状の部位
１６：ねじりばね
１７：リブ
１８：庇状の部位
１９：リブ
【先行技術文献】
【特許文献】
【００２９】
【特許文献１】特開２００６−１９５０００号公報
【特許文献１】特開２０１０−１９７４７７号公報
【図１】
2012194220.tif 000003
【図２】
2012194220.tif 000004
【図３】
2012194220.tif 000005
【図４】
2012194220.tif 000006
【図５】
2012194220.tif 000007
【図６】
2012194220.tif 000008
【図７】
2012194220.tif 000009
【図８】
2012194220.tif 000010
【図９】
2012194220.tif 000011
【図１０】
2012194220.tif 000012
【図１１】
2012194220.tif 000013
【図１２】
2012194220.tif 000014
【図１３】
2012194220.tif 000015
【図１４】
2012194220.tif 000016